【手続補正書】
【提出日】平成24年8月22日(2012.8.22)
【手続補正１】
【補正対象書類名】特許請求の範囲
【補正対象項目名】全文
【補正方法】変更
【補正の内容】
【特許請求の範囲】
【請求項１】
第一のクライアントコンピュータシステムと、；
該第一のクライアントコンピュータシステムに接続された分析サーバと、該分析サーバはＯＬＡＰデータ構造を含み、；
該分析サーバに接続された情報の第一の顧客データベースと、を備え、該第一の顧客データベースは、予測データ及び該予測データに対する本質的にリアルタイムの更新を格納し、前記予測データは、少なくとも一つの推定将来価値を含み、前記ＯＬＡＰデータ構造は、前記第一の顧客データベースの前記情報を分析して更新するように構成され、前記ＯＬＡＰデータ構造は、第一の区画及び第二の区画を含み、
前記分析サーバは、前記第一の顧客データベースの変更を、前記ＯＬＡＰデータ構造の前記第二の区画に組み込み、
前記第一の顧客データベース内に新規データを入力し、
変更状態フラグを用いて前記新規データの状態の変更を示し、第一の変更状態フラグは、前記データが変更され、前記第二の区画から前記第一の区画に移動されたことを識別し、第二の変更状態フラグは、前記データが変更され、前記第二の区画から前記第一の区画に移動されなかったことを識別し、
第一の所定時間間隔に前記ＯＬＡＰデータ構造の前記第二の区画を集約し、前記第二の区画の前記集約は、前記第二の区画の入力を前記第一の区画内へ集約することを含まないように構成されている
システム。
【請求項２】
前記分析サーバは、さらに、第二の所定時間間隔に前記ＯＬＡＰデータ構造の前記第一の区画を集約するように構成され、前記第二の所定時間間隔は、前記第一の所定時間間隔より大きく、前記第一の区画の前記集約は、前記第二の区画の前記入力を組み込むことを含む
請求項１に記載のシステム。
【請求項３】
前記分析サーバは、さらに、（ｉ）リアルタイムで大量データの収集の効率を維持するとともに、システム性能を維持するために、ユーザが操作しなくても、前記第二の所定時間間隔で前記第二の区画の前記入力を組み込むことを含む前記第一の区画の前記集約を自動的に実行するとともに、（ｉｉ）前記第二の区画の処理の間、及び前記第一の区画の処理の間を含む、前記集約の間及び集約後の変更に関する識別情報であって、ユーザＩＤを含む識別情報を維持するように、構成されている
請求項２に記載のシステム。
【請求項４】
（ｉ）分析エンジンは、さらに、タイムスタンプとともに前記第一の顧客データベース内にデータを入力し、（ｉｉ）前記変更に関する前記識別情報は、さらに、前記タイムスタンプを含む
請求項２に記載のシステム。
【請求項５】
前記分析サーバは、さらに、タイムスタンプとともに前記データベース内にデータを入力するように構成されている
請求項１に記載のシステム。
【請求項６】
前記分析サーバは、さらに、（ｉ）入力された前記データに対するユーザ名及びタイムスタンプ情報を維持するとともに、前記第一の区画に入力されたデータを処理する際に、（ｉｉ）ベースラインを構成する関連した変更をマークするか論理的に分類することによって、予測データを含むベースラインを生成し、（ｉｉｉ）前記データベース内に前記ベースラインを維持する、ように構成され、前記ベースラインは、前記第一の区画内に維持され、データに関連したウィンドウ値に基づいたデータと、前記ベースライン用に指定された前記ウィンドウ値とを含む
請求項５に記載のシステム。
【請求項７】
前記分析サーバは、さらに、前記データの少なくとも一部へのアクセスを制限するように構成されている
請求項５に記載のシステム。
【請求項８】
前記分析サーバは、さらに、ユーザが、表示されたウインドウ内に生じるデータ変更を分析することを許容するように構成されている
請求項７に記載のシステム。
【請求項９】
第一の顧客に関連した第一組のユーザを認証するとともに、第二の顧客に関連した第二組のユーザを認証するように構成される識別サーバと、
前記識別サーバ及び分析サーバに接続された第二のクライアントコンピュータシステムと、
前記識別サーバ及び分析サーバに接続された情報の第二の顧客データベースとをさらに備え、
前記第一の顧客データベースは、システムの前記第一組のユーザによって専ら使用され、前記第二の顧客データベースは、システムの前記第二組のユーザによって専ら使用され、前記識別サーバは、さらに、（ｉ）データが前記システム内に移動する前にユーザＩＤ及び顧客ＩＤを確立し、（ｉｉ）前記顧客ＩＤと関連した顧客データベースを検索し、（ｉｉｉ）前記顧客データベースと次のデータ更新とをリンクさせるように構成される
請求項１に記載のシステム。
【請求項１０】
前記情報は財務情報である
請求項１に記載のシステム。
【請求項１１】
前記財務情報は、個々のユーザの意中に含まれない将来の財務予測又は任意の連結されたバックエンド予測及び計画システムを含む積極的な財務データを含む
請求項１０に記載のシステム。
【請求項１２】
前記第一のクライアントコンピュータシステムの位置から離れた位置から該第一のクライアントコンピュータシステムにデータを提供するための手段をさらに備える
請求項１に記載のシステム。
【請求項１３】
前記変更状態フラグは、前記システムのリアルタイム動作を促進する
請求項１に記載のシステム。
【請求項１４】
分析サーバに接続された情報の第一の顧客データベース内に、予測データ及び該予測データに対する実質的にリアルタイムの更新を格納することと、前記第一の顧客データベースは、少なくとも一つの推定将来価値を含む前記予測データを格納し、
前記第一の顧客データベースの前記情報を分析し、更新するために、ＯＬＡＰデータ構造にアクセスすることと、前記ＯＬＡＰデータ構造は、第一の区画及び第二の区画を含み、
前記ＯＬＡＰデータ構造の前記第二の区画内に前記第一の顧客データベースの変更を組み込むことと、
前記第一の顧客データベース内に新規データを入力することと、
変更状態フラグを用いて前記新規データの状態の変更を示すことと、第一の変更状態フラグは、前記データが変更され、前記第二の区画から前記第一の区画に移動されたことを識別し、第二の変更状態フラグは、前記データが変更され、前記第二の区画から前記第一の区画に移動されなかったことを識別し、
第一の所定時間間隔に前記ＯＬＡＰデータ構造の前記第二の区画を集約し、前記第二の区画の前記集約は、前記第一の区画内に前記第二の区画の入力を集約することを含まないことと、
のために、サーバコンピュータシステム内でコードを実行すること
を備える方法。
【請求項１５】
第二の所定時間間隔に前記ＯＬＡＰデータ構造の前記第一の区画を集約することをさらに備え、前記第二の所定時間間隔は、前記第一の所定時間間隔より大きく、前記第一の区画の前記集約は、前記第二の区画の前記入力を組み込むことを含む
請求項１４に記載の方法。
【請求項１６】
リアルタイムで大量データの収集の効率を維持するとともに、システム性能を維持するために、ユーザが操作しなくても、前記第二の所定時間間隔で前記第二の区画の前記入力を組み込むことを含む前記第一の区画の前記集約を自動的に実行することと、
前記第二の区画の処理の間、及び前記第一の区画の処理の間を含む、前記集約の間及び集約後の変化に関する識別情報を維持すること、とをさらに備え、前記識別情報はユーザＩＤを含む
請求項１５に記載の方法。
【請求項１７】
タイムスタンプとともに前記第一の顧客データベース内にデータを入力することをさらに備え、
前記変更に関する前記識別情報は前記タイムスタンプをさらに含む
請求項１５に記載の方法。
【請求項１８】
タイムスタンプとともに前記データベース内にデータを入力することをさらに備える
請求項１４に記載の方法。
【請求項１９】
入力された前記データに対するユーザ名及びタイムスタンプ情報を維持することと、前記第一の区画に入力されたデータを処理する際に、
ベースラインを構成する関連した前記変更をマークするか論理的に分類することによって、予測データを含むベースラインを生成することと、
前記データベース内に前記ベースラインを維持すること、とをさらに備え、前記ベースラインは、前記第一の区画内に維持され、データに関連したウィンドウ値に基づいたデータと、前記ベースライン用に指定された前記ウィンドウ値とを含む
請求項１８に記載の方法。
【請求項２０】
ユーザを組織するとともに、前記システム内で誰がデータを変更することができ、誰がデータを変更することができないかに関連した規則を施行するためのパラメータを提供することをさらに備える
請求項１９に記載の方法。
【請求項２１】
ユーザが、表示されたウィンドウ内で生じた前記データ変更を分析することができるように、パラメータを提供することをさらに備える
請求項２０に記載の方法。
【請求項２２】
前記第一の顧客データベースに関連した第一組のユーザを認証するとともに、第二の顧客データベースに関連した第二組のユーザを認証することと、前記第一の顧客データベースは、前記システムの前記第一組のユーザによって専ら使用され、前記第二の顧客データベースは、前記システムの前記第二組のユーザによって専ら使用され、
データが前記システム内に移動する前に、ユーザＩＤ及び顧客ＩＤを確立することと、
前記顧客ＩＤと関連した顧客データベースを検索し、次のデータ更新に前記顧客データベースをリンクさせること、とをさらに備える
請求項１４に記載の方法。
【請求項２３】
前記情報は財務情報である
請求項１４に記載の方法。
【請求項２４】
前記財務情報は、個々のユーザの意中に含まれない将来の財務予測又は任意の連結されたバックエンド予測及び計画システムを含む積極的な財務データを含む
請求項２３に記載の方法。
【請求項２５】
前記第一のクライアントコンピュータシステムの位置から離れた位置から該第一のクライアントコンピュータシステムにデータを提供することをさらに備える
請求項１４に記載の方法。
【請求項２６】
前記変更状態フラグは、前記システムのリアルタイム動作を促進する
請求項１４に記載の方法。